(57)【要約】【課題】簡易且つ正確に充填及び抜去可能とする気管支充填プラグを提供する。【解決手段】丸みを帯びた前面部１００、側面部２００及び後面部３００を備えた略円錐台形状の本体４００を有する。前面部１００には半リング状の前面取手部１１０が設けられる。後面部３００には、陥凹部３２０と、キュレット先端部が差し込まれる差込穴３３０と、半リング状の後面取手部３１０とが設けられる。側面部２００には、充填後の脱落を防止する少なくとも一つの鋸歯部２１０が備えられる。【選択図】図２
2018033780.tif 000002
【特許請求の範囲】
【請求項１】
エアリークの責任気管支に充填される気管支充填プラグであって、
丸みを帯びた前面部、側面部及び後面部を備えた略円錐台形状の本体を有し、
前記前面部には、半リング状の前面取手部が備えられ、
前記後面部には、陥凹部と、該陥凹部の中央に設けられたキュレット先端部が差し込まれる差込穴と、半リング状の後面取手部と、が備えられ、
前記側面部には、充填後の脱落を防止する少なくとも一つの鋸歯部が備えられている、ことを特徴とする気管支充填プラグ。
【請求項２】
前記差込穴は、前記後面部と前記前面部とを貫通している貫通穴であることを特徴とする請求項１項に記載の気管支充填プラグ。
【請求項３】
前記前面取手部及び前記後面取手部の少なくとも一方には視認可能なカラーリングが付されていることを特徴とする請求項１又は２項に記載の気管支充填プラグ。
【請求項４】
前記本体には視認可能なカラーリングが付されていることを特徴とする請求項１乃至３の何れか１項に記載の気管支充填プラグ。
【請求項５】
エアリークの責任気管支に充填される気管支充填プラグと、
気管支ファイバースコープと、
前記気管支ファイバースコープの先端部に設けられた先端孔から出入して、前記気管支充填プラグを前記責任気管支に誘導するためのキュレットと、を備える気管支充填デバイスであって、
前記気管支充填プラグは、
丸みを帯びた前面部、側面部及び後面部を備えた略円錐形状の本体を有し、
前記前面部には、半リング状の前面取手部が備えられ、
前記後面部には、陥凹部と、該陥凹部の中央に設けられたキュレット先端部が差し込まれる差込穴と、半リング状の後面取手部と、が備えられ、
前記側面部には、充填後の脱落を防止する少なくとも一つの鋸歯部が備えられており、
前記キュレットの先端部には、前記気管支充填プラグをエアリークの責任気管支に充填する際に前記気管支充填プラグの脱落を防止するための鉤爪部が設けられている、ことを特徴とする気管支充填デバイス。
【請求項６】
前記気管支充填プラグを責任気管支に充填後に前記キュレットを収納するガイドシースを更に有することを特徴とする請求項５項に記載の気管支充填デバイス。
【発明の詳細な説明】
【技術分野】
【０００１】
本発明は、簡易且つ正確に充填及び抜去可能とする気管支充填プラグに関し、更にその気管支充填プラグを備える気管支充填デバイスにも関する。
【背景技術】
【０００２】
気胸は気管支末梢の胸膜にエアリーク穴が発生して空気が胸腔内に漏れる疾患である。胸腔内にたまった空気で肺が十分広がらず、呼吸困難や胸痛が発生する。症状によって治療法は異なり、エアリーク穴を手術で縫合することにより治癒することがあるが、高齢者等の場合は肺全体がもろい場合があり、エアリーク穴を手術で縫合することは難しく、空気漏れが続くことがある。
【０００３】
近年、難治性気胸の治療としてシリコン製の気管支充填プラグを用いた気管支充填術が普及している。例えば特許文献１には、前面と後面とを備えた円錐台形の本体からなり、その本体に気管支に充填するための鉗子用の把持部が設けられている気管支プラグが記載されている。また、例えば特許文献２には、中空本体からなり、その先側は開放していて、その基側はバルブを備えており、このバルブは通常の状態では閉鎖しており、オリフィスを形成するため自発的に開放するようになされている気管支プラグが記載されている。
【先行技術文献】
【特許文献】
【０００４】
【特許文献１】特許４３６３９０４号
【特許文献２】特開２０１０−２４６９２０号公報
【発明の概要】
【発明が解決しようとする課題】
【０００５】
しかし、上述の技術によっても気管支充填プラグを充填及び抜去するには高度な技術の取得が必要である。
【０００６】
本発明はかかる問題点に鑑みてなされたものであって、高度な技術を要することなく簡易且つ正確に充填及び抜去可能とする気管支充填プラグを提供することを目的とする。また、その気管支充填プラグを備える気管支充填デバイスを提供することを目的とする。
【課題を解決するための手段】
【０００７】
本発明にかかる気管支充填プラグは、エアリークの責任気管支に充填される気管支充填プラグであって、丸みを帯びた前面部、側面部及び後面部を備えた略円錐台形状の本体を有し、前記前面部には、半リング状の前面取手部が備えられ、前記後面部には、陥凹部と、該陥凹部の中央に設けられたキュレット先端部が差し込まれる差込穴と、半リング状の後面取手部と、が備えられ、前記側面部には、充填後の脱落を防止する少なくとも一つの鋸歯部が備えられている、ことを特徴とする。
【０００８】
また、本発明にかかる気管支充填デバイスは、エアリークの責任気管支に充填される気管支充填プラグと、気管支ファイバースコープと、前記気管支ファイバースコープの先端部に設けられた先端孔から出入して、前記気管支充填プラグを前記責任気管支に誘導するためのキュレットと、を備える気管支充填デバイスであって、前記気管支充填プラグは、丸みを帯びた前面部、側面部及び後面部を備えた略円錐形状の本体を有し、前記前面部には、半リング状の前面取手部が備えられ、前記後面部には、陥凹部と、該陥凹部の中央に設けられたキュレット先端部が差し込まれる差込穴と、半リング状の後面取手部と、が備えられ、前記側面部には、充填後の脱落を防止する少なくとも一つの鋸歯部が備えられており、前記キュレットの先端部には、前記気管支充填プラグをエアリークの責任気管支に充填する際に前記気管支充填プラグの脱落を防止するための鉤爪部が設けられている、ことを特徴とする。
【発明の効果】
【０００９】
本発明によれば、簡易且つ正確に充填及び抜去が可能となる。
【図面の簡単な説明】
【００１０】
【図１】本発明にかかる気管支充填プラグの概略を説明する図である。
【図２】本発明にかかる気管支充填プラグの側面を説明する図である。
【図３】本発明にかかる気管支充填プラグの後面側を説明する図である。
【図４】本発明にかかる気管支充填デバイスの概略を説明する図である。
【発明を実施するための形態】
【００１１】
以下、添付の図面を参照して本発明の実施形態について具体的に説明するが、当該実施形態は本発明の原理の理解を容易にするためのものであり、本発明の範囲は、下記の実施形態に限られるものではなく、当業者が以下の実施形態の構成を適宜置換した他の実施形態も、本発明の範囲に含まれる。
【００１２】
図１は、本発明にかかる気管支充填プラグの概略を説明する図である。図１に示されるように、気管支充填プラグ８００は、丸みを帯びた前面部１００、側面部２００及び後面部３００を備えた略円錐台形状の本体４００を有する。本体４００の材質は、生体適合性のものであれば特に限定されるものではないが、例えばシリコンである。なお本体４００の形状は略円錐台形状ではなく略円錐形状とすることも可能である。
【００１３】
前面部１００には、半リング状の前面取手部１１０が備えられる。後面部３００には、半リング状の後面取手部３１０が備えられる。後面取手部３１０は抜去時のキュレットによる把持を容易にする。前面取手部１１０及び後面取手部３１０はともに、気管支充填プラグ８００の脱落時におけるキュレットによる把持を容易にする。
【００１４】
図２は、本発明にかかる気管支充填プラグの側面を説明する図である。また、図３は、本発明にかかる気管支充填プラグの後面側を説明する図である。図２及び図３に示されるように、後面部３００には、陥凹部３２０と、この陥凹部３２０の中央に設けられたキュレット先端部が差し込まれる差込穴３３０とが備えられる。陥凹部３２０が設けられることにより、後面取手部３１０以外の後面部３００においても把持を容易にするとともに、キュレットの先端を差し込むためのスペースを大きく確保できる。本実施形態において差込穴３３０は、後面部３００と前面部と１００を貫通している貫通穴である。この貫通穴は充填後に周囲組織からの圧迫により閉塞するため、気管支充填プラグ８００の機能が損なわれる虞は少ない。なお、差込穴３３０は貫通穴に限定されるものではなく、穴底が前面部１００と後面部３００との間にとどまる非貫通穴とすることも可能である。
【００１５】
側面部２００には、気管支充填プラグ８００の充填後の脱落を防止する鋸歯部２１０が備えられている。鋸歯部２１０は一つ又は複数備えることが可能である。
【００１６】
前面取手部１１０及び後面取手部３１０の少なくとも一方には視認可能なカラーリングが付されている。気管支充填プラグの本体４００のサイズを複数設ける場合は、そのサイズごとに異なるカラーリングをすることが可能であり、これにより気管支充填プラグ８００の識別を容易にすることができる。
【００１７】
また、カラーリングは特に限定するものではないが例えば、青色、緑色等とすることが好ましく、かかる場合は充填後の気管支充填プラグ８００が気道内の分泌物や出血等により視認困難となることを防止することが可能である。
【００１８】
また、前面取手部１１０及び後面取手部３１０のみならず、本体４００をもカラーリングすることも可能である。
【００１９】
図４は、本発明にかかる気管支充填デバイスの概略を説明する図である。図４に示されるように、気管支充填デバイス９００は、上述の本発明にかかる気管支充填プラグ８００と、気管支ファイバースコープ６３０と、気管支ファイバースコープ６３０の先端部に設けられた先端孔から出入して、気管支充填プラグ８００をエアリークの責任気管支に誘導するためのキュレット６００と、を備える。なお、気管支充填デバイス９００は、更に、カテーテル及び／又はガイドワイヤーを備えることも可能である。
【００２０】
キュレット６００の先端部には、気管支充填プラグ８００をエアリークの責任気管支に充填する際に気管支充填プラグ８００の脱落を防止するための鉤爪部６１０が設けられている。なお、図４においては鉤爪部６１０は単一であるが、複数個設けることも可能である。ガイドシース６２０には、気管支充填プラグ８００を責任気管支に充填後、キュレット６００が収納される。
【００２１】
次に、本発明にかかる気管支充填プラグ８００の使用態様について説明する。
【００２２】
まず気管支充填プラグ８００の後面部３００に設けられている差込穴３３０に、キュレット６００の先端部が挿入される。そして気管支ファイバースコープ６３０により視認しながら、気管支充填プラグ８００を責任気管支へ誘導する。既存の気管支充填子の後部の突起部を鉗子で把持する手法に比べて、本実施形態においては責任気管支への誘導は容易である。この際、上記したように、キュレット６００の先端部には鉤爪部６１０が設けられているため、気管支充填プラグ８００の脱落が生じにくい。
【００２３】
また、気管支充填プラグ８００を責任気管支へ誘導する際に、気管支充填プラグ８００が脱落してしまった場合は、前面取手部１１０及び後面取手部３１０が設けられているため、キュレットによる把持が容易である。
【００２４】
責任気管支に気管支充填プラグ８００を充填した後は、ガイドシース６２０の先端を気管支充填プラグ８００に密着させることにより気管支充填プラグ８００を責任気管支に固定させる。そしてガイドシース６２０で気管支充填プラグ８００を支えながらキュレット６００を差込穴３３０から引き抜き、キュレット６００をガイドシース６２０内に収納する。なお、気管支充填プラグ８００を充填後は、気管支ファイバースコープ６３０の挿通用管路を通して、ガイドワイヤーを併用してカテーテルを挿入し、気管支充填プラグ８００の前面部１００側から突出させ、カテーテルを通じて末梢気管支に薬液等を注入することも可能である。
【００２５】
既存の気管支充填子からキュレットを引き抜く際には気管支から気管支充填子が抜けないようにスコープ自体で支える必要があったが、この手法では視野の確保が困難でありそのため気管支充填子が脱落したりする等の問題があったが、本実施例ではキュレット６００を気管支ファイバースコープ６３０に直接収納するのでは無く、ガイドシース６２０内に収納するため視野確保が容易である。
【００２６】
最後に、ガイドシース６２０も気管支ファイバースコープ６３０に収納する。数ヶ月後、気管支充填プラグ８００が不要となり抜去する際には、後面取手部３１０が設けられているため、把持することにより容易に抜去が可能である。
【図１】
2018033780.tif 000003
【図２】
2018033780.tif 000004
【図３】
2018033780.tif 000005
【図４】
2018033780.tif 000006